(57)【特許請求の範囲】
【請求項１】
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備え、
前記選局制御部は、
前記番組情報から、前記視聴対象放送局のサービスエリアが属する地域を示す現在地域情報を取得する現在地域取得処理と、
前記受信状態検出部が、前記放送電波の受信状態が予め定められた基準を満たさないと判断した場合に、前記隣接地域情報より、前記現在地域情報で示される地域に隣接する隣接地域を特定し、当該特定された隣接地域をサーチ地域とするサーチ地域特定処理と、
前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とするサーチ対象絞込処理と、
前記特定されたチャンネル情報に含まれる識別情報で識別される物理チャンネルの重複数を算出する第１重複数算出処理と、
前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たし、かつ、当該選局された放送局が前記視聴対象放送局と系列局関係にある場合には、当該選局させた放送局を新たな視聴対象放送局とするサーチ処理と、を行うこと
を特徴とするデジタル放送受信装置。
【請求項２】
前記選局制御部は、前記サーチ地域特定処理において、前記現在地域情報で示される地域も前記サーチ地域に含めること
を特徴とする請求項１に記載のデジタル放送受信装置。
【請求項３】
前記選局制御部は、
前記第１重複数算出処理で算出された重複数が同じ複数の物理チャンネルがある場合には、前記系列情報より、前記サーチ地域にサービスエリアが属する放送局の内、前記視聴対象放送局と系列局関係にない放送局に対応するチャンネル情報を特定し、当該特定されたチャンネル情報に含まれる識別情報で識別される物理チャンネルと、前記複数の物理チャンネルの各々とが重複する重複数を算出する第２重複数算出処理をさらに行い、
前記サーチ処理において、前記複数の物理チャンネルの各々に対応する放送局を、前記第２重複数算出処理で算出された重複数の多いものから順に選局すること
を特徴とする請求項１又は２に記載のデジタル放送受信装置。
【請求項４】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部は、
前記選局履歴情報において、前記サーチ対象とされた物理チャンネルに対応する放送局が、当該放送局のサービスエリアが属する地域とは異なる地域にサービスエリアが属する前記切替元の放送局又は前記切替先の放送局との間で切り替えが行われていない場合には、当該放送局を他地域非隣接放送局として特定する他地域非隣接判断処理をさらに行い、
前記サーチ処理において、前記他地域非隣接放送局とされた放送局を選局する順番を、前記第１重複数算出処理で算出された重複数に基づく順番よりも遅らせること
を特徴とする請求項１から３の何れか一項に記載のデジタル放送受信装置。
【請求項５】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部は、
前記選局履歴情報において、前記視聴対象放送局から、前記サーチ地域に含まれる地域に移動した頻度を、前記サーチ地域に含まれる地域毎に算出し、当該頻度が多いほど高くなる移動可能性を前記サーチ地域に含まれる地域毎に特定し、特定した移動可能性の高さに応じて、前記サーチ地域に含まれる地域をグループ分けする処理をさらに行い、
前記サーチ対象絞込処理において、前記グループ毎に、前記系列情報より、前記サーチ地域にサービスエリアが含まれる放送局の内、前記視聴対象放送局と系列局関係にある放送局に対応するチャンネル情報を特定し、当該特定されたチャンネル情報に含まれる識別情報で識別される物理チャンネルをサーチ対象とし、
前記サーチ処理において、前記移動可能性の高いグループから順に、前記チューナ部を制御して、前記サーチ対象とされた物理チャンネルに対応する放送局を順番に選局し、当該選局させた放送局からの放送電波の受信状態が前記予め定められた基準を満たしている場合には、当該選局させた放送局を前記新たな視聴対象放送局とすること
を特徴とする請求項１から４の何れか一項に記載のデジタル放送受信装置。
【請求項６】
前記選局制御部は、
前記サーチ処理において、前記選局させた放送局からの放送電波の受信状態が前記予め定められた基準を満たしている場合には、前記選局させた放送局と、前記視聴対象放送局とが系列局関係にあるか否かを判断し、前記選局させた放送局と、前記視聴対象放送局とが系列局関係にあると判断したときに、前記選局させた放送局を前記新たな視聴対象放送局とすること
を特徴とする請求項１から５の何れか一項に記載のデジタル放送受信装置。
【請求項７】
前記選局制御部は、
前記サーチ処理において、前記選局させた放送局と、前記視聴対象放送局とが系列局関係にないと判断したときには、
前記選局させた放送局から受信される放送電波から得られる番組情報から、前記選局させた放送局のサービスエリアが属する地域を、推定現在地域として特定する推定現在地域特定処理と、
前記隣接地域情報より、前記推定現在地域に隣接する隣接地域を特定して、前記推定現在地域、及び、前記推定現在地域に隣接する隣接地域を、現在地域候補として特定する現在地域候補特定処理と、
前記サーチ地域に含まれる地域の内、前記現在地域候補に含まれる地域と重複する地域を特定し、前記重複する地域にサーチ地域を絞り込むサーチ地域絞込処理と、をさらに行い、
前記選局制御部は、前記絞り込まれたサーチ地域に対して、前記サーチ対象絞込処理及び前記サーチ処理を再び行うこと
を特徴とする請求項６に記載のデジタル放送受信装置。
【請求項８】
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備えるデジタル放送受信装置が行うデジタル放送受信方法であって、
前記選局制御部が、前記番組情報から、前記視聴対象放送局のサービスエリアが属する地域を示す現在地域情報を取得する処理を行う現在地域取得過程と、
前記受信状態検出部が、前記放送電波の受信状態が予め定められた基準を満たさないと判断した場合に、前記選局制御部が、前記隣接地域情報より、前記現在地域情報で示される地域に隣接する隣接地域を特定し、当該特定された隣接地域をサーチ地域とする処理を行うサーチ地域特定過程と、
前記選局制御部が、前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とする処理を行うサーチ対象絞込過程と、
前記選局制御部が、前記特定されたチャンネル情報に含まれる識別情報で識別される物理チャンネルの重複数を算出する処理を行う第１重複数算出過程と、
前記選局制御部が、前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たし、かつ、当該選局された放送局が前記視聴対象放送局と系列局関係にある場合には、当該選局させた放送局を新たな視聴対象放送局とする処理を行うサーチ過程と、を有すること
を特徴とするデジタル放送受信方法。
【請求項９】
前記サーチ地域特定過程において、前記選局制御部は、前記現在地域情報で示される地域も前記サーチ地域に含めること
を特徴とする請求項８に記載のデジタル放送受信方法。
【請求項１０】
前記第１重複数算出過程で算出された重複数が同じ複数の物理チャンネルがある場合には、前記選局制御部が、前記系列情報より、前記サーチ地域に含まれる放送局の内、前記視聴対象放送局と系列局関係にない放送局に対応するチャンネル情報を特定し、当該特定されたチャンネル情報に含まれる識別情報で識別される物理チャンネルと、前記複数の物理チャンネルの各々とが重複する重複数を算出する処理を行う第２重複数算出過程をさらに有し、
前記サーチ過程において、前記選局制御部は、前記複数の物理チャンネルの各々に対応する放送局を、前記第２重複数算出過程で算出された重複数の多いものから順に選局すること
を特徴とする請求項８又は９に記載のデジタル放送受信方法。
【請求項１１】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部が、前記選局履歴情報において、前記サーチ対象とされた物理チャンネルに対応する放送局が、当該放送局のサービスエリアが属する地域とは異なる地域にサービスエリアが属する前記切替元の放送局又は前記切替先の放送局との間で切り替えが行われていない場合には、当該放送局を他地域非隣接放送局として特定する処理を行う他地域非隣接判断過程をさらに有し、
前記サーチ過程において、前記選局制御部は、前記他地域非隣接放送局とされた放送局を選局する順番を、前記第１重複数算出過程で算出された重複数に基づく順番よりも遅らせること
を特徴とする請求項８から１０の何れか一項に記載のデジタル放送受信方法。
【請求項１２】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部が、前記選局履歴情報において、前記視聴対象放送局から、前記サーチ地域に含まれる地域に移動した頻度を、前記サーチ地域に含まれる地域毎に算出し、当該頻度が多いほど高くなる移動可能性を前記サーチ地域に含まれる地域毎に特定し、特定した移動可能性の高さに応じて、前記サーチ地域に含まれる地域をグループ分けする処理を行う過程をさらに有し、
前記サーチ対象絞込過程において、前記選局制御部は、前記グループ毎に、前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とし、
前記サーチ過程において、前記選局制御部は、前記移動可能性の高いグループから順に、前記チューナ部を制御して、前記サーチ対象とされた物理チャンネルに対応する放送局を順番に選局し、当該選局させた放送局からの放送電波の受信状態が前記予め定められた基準を満たしている場合には、当該選局させた放送局を前記新たな視聴対象放送局とすること
を特徴とする請求項８から１１の何れか一項に記載のデジタル放送受信方法。
【請求項１３】
前記サーチ過程において、前記選局制御部は、前記選局させた放送局からの放送電波の受信状態が前記予め定められた基準を満たしている場合には、前記選局させた放送局と、前記視聴対象放送局とが系列局関係にあるか否かを判断し、前記選局させた放送局と、前記視聴対象放送局とが系列局関係にあると判断したときに、前記選局させた放送局を前記新たな視聴対象放送局とすること
を特徴とする請求項８から１２の何れか一項に記載のデジタル放送受信方法。
【請求項１４】
前記サーチ過程において、前記選局制御部が、前記選局させた放送局と、前記視聴対象放送局とが系列局関係にないと判断したときには、
前記選局制御部が、前記選局させた放送局から受信される放送電波から得られる番組情報から、前記選局させた放送局のサービスエリアが属する地域を、推定現在地域として特定する処理を行う推定現在地域特定過程と、
前記選局制御部が、前記隣接地域情報より、前記推定現在地域に隣接する隣接地域を特定して、前記推定現在地域、及び、前記推定現在地域に隣接する隣接地域を、現在地域候補として特定する処理を行う現在地域候補特定処理と、
前記選局制御部が、前記サーチ地域に含まれる地域の内、前記現在地域候補に含まれる地域と重複する地域を特定し、前記重複する地域にサーチ地域を絞り込む処理を行うサーチ地域絞込過程と、をさらに有し、
前記選局制御部は、前記絞り込まれたサーチ地域に対して、前記サーチ対象絞込過程及び前記サーチ過程での処理を再び行うこと
を特徴とする請求項１３に記載のデジタル放送受信方法。
【発明の詳細な説明】
【技術分野】
【０００１】
本発明は、デジタル放送受信装置及びデジタル放送受信方法に関する。
【背景技術】
【０００２】
デジタル放送局は、通常、番組の送出中に、そのデジタル放送局の系列局において現在放送中の番組に関する情報を送出しない。このため、移動体に搭載される受信装置において、電波の受信レベルの低下等の理由で、視聴中の番組の受信ができなくなった場合には、当該番組の視聴者は、当該受信装置を操作して、その時点で受信可能な放送局を一局ずつサーチして、サーチされた放送局が放送している番組が受信できなくなった番組と同一であるか否か、言い換えると、サーチされた放送局が「系列局」であるか否かを判断する必要があった。
【０００３】
上記のような煩雑な操作を視聴者が行う必要がなくなるようにするため、例えば、特許文献１に記載されたデジタル放送受信装置が提案されている。特許文献１に記載されたデジタル放送受信装置は、同一系列の放送局の送信周波数を含む地域放送局情報を予め区分された地域毎に記憶しておき、選局中の放送局の受信信号の受信状態が悪化した場合には、デジタル放送受信装置が位置する地域における同一系列の放送局の中から、受信することのできる系列局を見つけ出すように構成されている。
【先行技術文献】
【特許文献】
【０００４】
【特許文献１】特開２００７−２３５４３４号公報（第１４−１５頁、図８、図９）
【発明の概要】
【発明が解決しようとする課題】
【０００５】
特許文献１に記載されたデジタル放送受信装置は、自装置の位置が属する地域の検出精度が低い場合には、受信することのできる系列局が属する地域とは異なる地域の系列局に対してサーチを行ってしまうため、受信することのできる系列局を見つけ出すために要する時間が長くなってしまう。
【０００６】
本発明は、上記したような課題を解決するためになされたもので、現在位置の検出精度が低い場合にも受信可能な系列局を発見する時間を短縮し、番組の視聴中断時間を短くすることを目的とする。
【課題を解決するための手段】
【０００７】
本発明の一態様に係るデジタル放送受信装置は、
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備え、
前記選局制御部は、
前記番組情報から、前記視聴対象放送局のサービスエリアが属する地域を示す現在地域情報を取得する現在地域取得処理と、
前記受信状態検出部が、前記放送電波の受信状態が予め定められた基準を満たさないと判断した場合に、前記隣接地域情報より、前記現在地域情報で示される地域に隣接する隣接地域を特定し、当該特定された隣接地域をサーチ地域とするサーチ地域特定処理と、
前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とするサーチ対象絞込処理と、
前記特定されたチャンネル情報に含まれる識別情報で識別される物理チャンネルの重複数を算出する第１重複数算出処理と、
前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たし、かつ、当該選局された放送局が前記視聴対象放送局と系列局関係にある場合には、当該選局させた放送局を新たな視聴対象放送局とするサーチ処理と、を行うこと
を特徴とする。
【発明の効果】
【０００８】
本発明の一態様によれば、現在位置の検出精度が低い場合にも受信可能な系列局を発見する時間を短縮し、番組の視聴中断時間を短くすることができる。
【図面の簡単な説明】
【０００９】
【図１】実施の形態１に係るデジタル放送受信装置の構成を概略的に示すブロック図である。
【図２】実施の形態１における系列情報の一例を示す概略図である。
【図３】実施の形態１に係るデジタル放送受信装置の選局制御部が行う処理を示すフローチャートである。
【図４】実施の形態１における複数の地域における放送局の位置とそのサービスエリアの例を示す図である。
【図５】実施の形態１における地域の隣接関係を示す概略図である。
【図６】実施の形態１における地域系列情報テーブル（その１）の一例を示す概略図である。
【図７】実施の形態１における地域系列情報テーブル（その２）の一例を示す概略図である。
【図８】実施の形態１における地域系列情報テーブル（その３）の一例を示す概略図である。
【図９】実施の形態１における地域系列情報テーブル（その４）の一例を示す概略図である。
【図１０】実施の形態１における地域系列情報テーブル（その５）の一例を示す概略図である。
【図１１】実施の形態１における地域系列情報テーブル（その６）の一例を示す概略図である。
【図１２】実施の形態１における地域系列情報テーブル（その７）の一例を示す概略図である。
【図１３】実施の形態１における地域系列情報テーブル（その８）の一例を示す概略図である。
【図１４】実施の形態１における地域系列情報テーブル（その９）の一例を示す概略図である。
【図１５】実施の形態１における地域系列情報テーブル（その１０）の一例を示す概略図である。
【図１６】実施の形態１における優先順位の特定処理を示すフローチャートである。
【図１７】実施の形態２に係るデジタル放送受信装置の構成を概略的に示すブロック図である。
【図１８】実施の形態２における優先順位の特定処理を示すフローチャートである。
【図１９】実施の形態３に係るデジタル放送受信装置の構成を概略的に示すブロック図である。
【図２０】実施の形態３に係るデジタル放送受信装置の選局制御部が行う処理を示すフローチャートである。
【発明を実施するための形態】
【００１０】
実施の形態１．
図１は、実施の形態１に係るデジタル放送受信装置１００の構成を概略的に示すブロック図である。ここで、デジタル放送受信装置１００は、例えば、車等の移動体に搭載され又はユーザに携帯されて、移動されるものとする。デジタル放送受信装置１００は、チューナ部１０１と、デマルチプレクス部１０２と、デコード部１０３と、映像表示部１０４と、音声出力部１０５と、受信状態検出部１０６と、選局制御部１０７と、記憶部１０８とを備える。
【００１１】
チューナ部１０１は、デジタル放送の放送局から送出された放送電波を、図示しないアンテナで受信し、選局、復調、誤り訂正の各処理を実施し、この放送電波から受信信号であるトランスポートストリーム（以下、ＴＳという）を生成し、このＴＳをデマルチプレクス部１０２に与える。また、チューナ部１０１は、これらの処理の何れかができなくなった場合には、その放送電波の受信レベル情報、その放送電波から得られた受信信号の受信Ｃ／Ｎ比情報、この受信信号のＰＬＬロック情報、この受信信号のフレームロック情報及びこの受信信号の誤り率情報の少なくとも一つを受信状態検出部１０６に出力する。
【００１２】
デマルチプレクス部１０２は、チューナ部１０１より与えられたＴＳからＰＳＩ（Ｐｒｏｇｒａｍ  Ｓｐｅｃｉｆｉｃ  Ｉｎｆｏｒｍａｔｉｏｎ：番組特定情報）及びＳＩ（Ｓｅｒｖｉｃｅ  Ｉｎｆｏｒｍａｔｉｏｎ：サービス情報）を含む番組情報を分離する処理を行い、この番組情報を記憶部１０８に保存する。また、デマルチプレクス部１０２は、分離されたＰＳＩ及びＳＩより特定された、映像ＴＳパケット及び音声ＴＳパケットのＰＩＤ（Ｐａｃｋｅｔ  Ｉｄｅｎｔｉｆｉｅｒ：ＴＳパケット識別子）の値に基づいて、ＴＳをフィルタリングして映像ＴＳパケット及び音声ＴＳパケットを分離する処理を行う。ここで、映像ＴＳパケットには、映像情報が格納されており、音声ＴＳパケットには、音声情報が格納されている。そして、デマルチプレクス部１０２は、分離したこれらのパケットをデコード部１０３に与える。さらに、デマルチプレクス部１０２は、以上のような分離処理の何れかができなくなった場合には、ＰＡＴ（Ｐｒｏｇｒａｍ  Ａｓｓｏｃｉａｔｉｏｎ  Ｔａｂｌｅ）が所定の時間間隔で到来しなかった場合の途絶通知であるＰＡＴ断絶情報、ＰＭＴ（Ｐｒｏｇｒａｍ  Ｍａｐ  Ｔａｂｌｅ）が所定の時間間隔で到来しなかった場合の途絶通知であるＰＭＴ断絶情報、ＴＳにおいて１８８バイト毎に検出される同期バイトが検出されない場合の通知であるＴＳ同期はずれ情報、及びＴＳヘッダ中に存在する連続性カウンタ値の不連続を検出した際の通知であるＴＳパケット損失情報の少なくとも一つを受信状態検出部１０６に与える。
【００１３】
デコード部１０３は、デマルチプレクス部１０２より与えられる映像ＴＳパケット及び音声ＴＳパケットに含まれている情報をデコードすることにより、映像信号及び音声信号のそれぞれを生成し、映像信号は映像表示部１０４に、音声信号は音声出力部１０５にそれぞれ出力する。また、デコード部１０３は、デコードができなくなった場合には、デコードエラー検出情報及びデコードエラー率情報の少なくとも一つを受信状態検出部１０６に与える。
【００１４】
映像表示部１０４は、デコード部１０３より与えられた映像信号に基づく映像を画面に表示させる。
音声出力部１０５は、デコード部１０３より与えられた音声信号に基づく音声をスピーカから出力させる。
【００１５】
受信状態検出部１０６は、チューナ部１０１、デマルチプレクス部１０２及びデコード部１０３での処理を監視し、この監視結果から、チューナ部１０１で受信されている放送電波の受信状態が、予め定められた基準を満たしているか否かを判断する。そして、受信状態検出部１０６は、放送電波の受信状態が予め定められた基準を満たしていないと判断した場合には、視聴中の番組の放送電波を受信することができない又は受信することができなくなると判断し、受信悪化通知を選局制御部１０７に与える。例えば、デジタル放送受信装置１００が移動されると、デジタル放送受信装置１００の受信位置が変わるため、当該受信位置が視聴中の番組の放送局のサービスエリア外になる場合、並びに、地上の構造物による搬送波の遮断及び減衰等の影響を受ける場合等がある。これらの場合には、視聴中の番組の放送電波を受信することができなくなる。このため、受信状態検出部１０６には、チューナ部１０１より、受信レベル情報、受信Ｃ／Ｎ比情報、ＰＬＬロック情報、フレームロック情報及び誤り率情報等が与えられ、デマルチプレクス部１０２より、ＰＡＴ断絶情報、ＰＭＴ断絶情報、ＴＳ同期外はずれ情報及びＴＳパケット損失情報等が与えられ、デコード部１０３より、デコードエラー検出情報及びデコードエラー率情報等が与えられる。そして、受信状態検出部１０６は、上記各種情報の少なくとも一つに基づいて、放送電波が「現状受信不可状態」又は「現状受信不可直前状態」であるか否かを判断する。放送電波が「現状受信不可状態」又は「現状受信不可直前状態」であると判断した場合には、受信状態検出部１０６は、選局制御部１０７に受信悪化通知を与える。
【００１６】
選局制御部１０７は、チューナ部１０１を制御することで、視聴対象となる番組を放送する放送局を選局させる。ここで、視聴対象となる番組を放送する放送局を視聴対象放送局という。
選局制御部１０７は、デマルチプレクス部１０２で分離された番組情報から、視聴中の番組を放送している視聴対象放送局のサービスエリアが属する地域を示す現在地域情報を特定して、この現在地域情報を記憶部１０８に記憶させる。このサービスエリアが属する地域を示す情報としては、例えば、日本国内のデジタル放送規格であるＩＳＤＢ−Ｔ（Ｉｎｔｅｇｒａｔｅｄ  Ｓｅｒｂｉｃｅｓ  Ｄｉｇｉｔａｌ  Ｂｒｏａｄｃａｓｔｉｎｇ  −  Ｔｅｒｒｅｓｔｒｉａｌ）規格では、ＳＤＴ（Ｓｅｒｖｉｃｅ  Ｄｅｓｃｒｉｐｔｉｏｎ  Ｔａｂｌｅ）に含まれるサービスＩＤから得られる地域識別コードのフィールドの値、又は、ＮＩＴ（Ｎｅｔｗｏｒｋ  Ｉｎｆｏｒｍａｔｉｏｎ  Ｔａｂｌｅ）に含まれる地上分配システム記述子のａｒｅａ＿ｃｏｄｅフィールドの値を用いることができる。また、例えば、欧州のデジタル放送規格であるＤＶＢ（Ｄｉｇｉｔａｌ  Ｖｉｄｅｏ  Ｂｒｏａｄｃａｓｔｉｎｇ）規格では、このサービスエリアが属する地域を示す情報としては、ｏｒｉｇｉｎａｌ＿ｎｅｔｗｏｒｋ＿ｉｄ又はｎｅｔｗｏｒｋ＿ｉｄを用いることができる。さらに、このサービスエリアが属する地域を示す情報としては、ここに挙げたものだけではなく、デマルチプレクス部１０２で分離された番組情報から得られる、地域を示す他の情報を用いることもできる。
【００１７】
また、選局制御部１０７は、デマルチプレクス部１０２で分離された番組情報から、この番組情報で選局される番組を放送している放送局の系列局関係を識別するための系列局関係情報を抽出する。そして、選局制御部１０７は、デマルチプレクス部１０２で分離された番組情報から、番組を選局するために必要なチャンネル情報（以下及び図面では、ＣＨ情報ともいう）を抽出して、このチャンネル情報を、この番組情報から抽出された系列局関係情報に対応付けて、記憶部１０８に記憶されている系列情報に登録する処理を行う。例えば、ＩＳＤＢ−Ｔ規格では、選局制御部１０７は、ＰＳＩ中の「ＮＩＴセクション」に記述された「伝送される地上分配システム記述子」である「ｆｒｅｑｕｅｎｃｙフィールド」の値、又は、「周波数リストの記述子」である「ｐｈｙｓｉｃａｌ  ｃｈフィールド」及び「ｎｅｗ  ｐｈｙｓｉｃａｌ  ｃｈフィールド」の値によりチャンネル情報を生成する。なお、これらの値を用いて、チューナ部１０１をチューニングすることで取得された情報がチャンネル情報に含まれていてもよい。また、例えば、ＤＶＢ規格では、ＮＩＴセクションで伝送される「ｆｒｅｑｕｅｎｃｙ  ｌｉｓｔ記述子」である「ｃｅｎｔｒｅ  ｆｒｅｑｕｅｎｃｙフィールド」の値、又は、「ｃｅｌｌ  ｆｒｅｑｕｅｎｃｙ  ｌｉｓｔ記述子」である「ｔｒａｎｓｐｏｓｅｒ  ｆｒｅｑｕｅｎｃｙフィールド」の値によりチャンネル情報を生成する。なお、これらの値を用いて、チューナ部１０１をチューニングすることで取得された情報がチャンネル情報に含まれていてもよい。さらに、チャンネル情報には、例えば、デマルチプレクス部１０２で分離された番組情報より得られた周波数リストに基づいて取得された中継局の情報が含まれていてもよい。
【００１８】
また、選局制御部１０７は、受信状態検出部１０６から受信悪化通知を受信した場合には、現在地域情報で示される地域に隣接している隣接地域をサーチ地域として特定し、特定したサーチ地域に属するサービスエリアに放送を行っている放送局の内、視聴対象放送局と系列局関係にある放送局の物理チャンネルをサーチ対象として絞り込むサーチ対象絞込処理を行う。さらに、選局制御部１０７は、視聴対象放送局と系列局関係にある放送局をサーチする際に、視聴対象放送局と系列局関係にはない放送局が放送している番組の放送電波を受信することができた場合には、サーチ地域を、既にサーチ地域とされている地域の内、この系列局関係にはない放送局のサービスエリアが属する地域又は当該地域の隣接地域と重複する地域にさらに絞り込むことで、サーチ対象をさらに絞り込む。
【００１９】
さらに、選局制御部１０７は、サーチ対象として絞り込まれた物理チャンネルが複数ある場合には、これらの物理チャンネルのそれぞれに対して、何らかの番組が放送されている可能性の高いものから順に高い順位となる優先順位を特定する優先順位特定処理を行う。
【００２０】
さらにまた、選局制御部１０７は、優先順位特定処理で特定された優先順位に従って、視聴対象放送局と系列局関係にある放送局の内、番組を視聴することのできる放送電波を出力している放送局をサーチする系列局サーチ処理を行う。
【００２１】
ここで、選局制御部１０７は、以下のようにして、複数の放送局が系列局関係であると判断する。例えば、ＩＳＤＢ−Ｔ規格においては、デマルチプレクス部１０２で分離された番組情報から抽出されたＢＩＴ（Ｂｒｏａｄｃａｓｔｅｒ  Ｉｎｆｏｒｍａｔｉｏｎ  Ｔａｂｌｅ：ブロードキャスタの単位や、ブロードキャスタ単位毎のＳＩ伝送パラメータ等の指定）セクションにおけるａｆｆｉｌｉａｔｉｏｎ＿ｉｄのフィールドの値が同一であれば、これらの値が同一となる放送電波を出力している複数の放送局が系列局関係であると判断することができる。また、ＤＶＢ規格においては、ＮＩＴセクションの伝送されるｆｒｅｑｕｅｎｃｙ  ｌｉｓｔ記述子に含まれるｃｅｎｔｒｅ＿ｆｒｅｑｕｅｎｃｙ、又は、ｃｅｌｌ＿ｆｒｅｑｕｅｎｃｙ＿ｌｉｓｔ記述子に含まれるｔｒａｎｓｐｏｓｅｒ＿ｆｒｅｑｕｅｎｃｙの値を用いてＭＦＮ関係であると判断できる場合には、複数の放送局が系列局関係にあると判断することができる。また、選局制御部１０７は、デマルチプレクス部１０２で分離された番組情報に含まれるＰＳＩ及びＳＩの少なくとも何れか一方に含まれる値、例えば、ＳＤＴセクションにおけるサービス名が一致した場合、若しくは、ＮＩＴ、ＳＤＴ又はＰＡＴセクションにおけるｔｓ＿ｉｄ又はｓｖ＿ｉｄが一致した場合に、系列局関係にあると判断してもよい。さらに、選局制御部１０７は、これらのｔｓ＿ｉｄ及びｓｖ＿ｉｄの両方が一致した場合に、系列局関係にあると判断してもよい。また、複数の放送局が系列局関係であるか否かを判断するための情報としてはここに挙げたものだけではなく、デマルチプレクス部１０２で分離された番組情報から得られる他の情報を用いてもよい。
【００２２】
記憶部１０８は、隣接地域記憶部１０９と、系列記憶部１１０と、一時記憶部１１１とを備える。
隣接地域記憶部１０９は、放送局のサービスエリアが属する地域と、当該地域に隣接する地域である隣接地域とを示す隣接地域情報を記憶する。
【００２３】
系列記憶部１１０は、予め定められた地域毎に、系列局関係を識別するための系列局関係情報と、当該系列局関係情報で識別される系列局関係にある放送局から放送された番組を選局するために必要なチャンネル情報とを対応付けた系列情報を記憶する。
図２は、系列情報の一例を示す概略図である。図示するように、系列情報１３０は、予め定められた地域毎の地域系列情報テーブル１３０Ａ、１３０Ｂ、１３０Ｃ、・・・（特に、各々の地域系列情報テーブル１３０Ａ、１３０Ｂ、１３０Ｃ、・・・を区別する必要のないときは、地域系列情報テーブル１３０という）を備える。例えば、図２では、地域系列情報テーブル１３０Ａは地域Ａのテーブルであり、地域系列情報テーブル１３０Ｂは地域Ｂのテーブルであり、地域系列情報テーブル１３０Ｃは地域Ｃのテーブルである。
そして、各地域系列情報テーブル１３０は、地域欄１３１と、系列欄１３２と、系列ＣＨ情報欄１３３とを備える。
地域欄１３１は、各地域系列情報テーブル１３０に割り当てられた地域を示す情報を格納する。例えば、本実施の形態においては、この地域を示す情報として、ＩＳＤＢ−Ｔ規格では、ＳＤＴに含まれるサービスＩＤから得られる地域識別コードのフィールドの値、又は、ＮＩＴ内の地上分配システム記述子のａｒｅａ＿ｃｏｄｅフィールドの値が用いられる。また、例えば、ＤＶＢ規格では、ｏｒｉｇｉｎａｌ＿ｎｅｔｗｏｒｋ＿ｉｄ又はｎｅｔｗｏｒｋ＿ｉｄが用いられる。
系列欄１３２は、地域欄１３１で示される地域において、番組を放送している複数の放送局の系列局関係を識別するための識別情報を格納する。例えば、本実施の形態においては、この系列局関係を識別するための識別情報として、ＩＳＤＢ−Ｔ規格では、ＢＩＴセクションにおけるａｆｆｉｌｉａｔｉｏｎ＿ｉｄのフィールドの値が用いられる。また、ＤＶＢの場合では、ＮＩＴセクションの伝送されるｆｒｅｑｕｅｎｃｙ  ｌｉｓｔ記述子に含まれるｃｅｎｔｒｅ＿ｆｒｅｑｕｅｎｃｙの値、又は、ｃｅｌｌ＿ｆｒｅｑｕｅｎｃｙ＿ｌｉｓｔ記述子に含まれるｔｒａｎｓｐｏｓｅｒ＿ｆｒｅｑｕｅｎｃｙの値が用いられる。
系列ＣＨ情報欄１３３は、地域欄１３１で示される地域において、系列欄１３２で識別される系列局関係にある放送局が放送する番組を選局するために必要な情報であるチャンネル情報を格納する。ここで、本実施の形態におけるチャンネル情報には、少なくとも物理チャンネルを識別することのできる識別情報が含まれる。例えば、物理チャンネルを識別することのできる識別情報として、ＩＳＤＢ−Ｔ規格では、ＰＳＩ中の「ＮＩＴ（Ｎｅｔｗｏｒｋ  Ｉｎｆｏｒｍａｔｉｏｎ  Ｔａｂｌｅ）セクション」に記述された「伝送される地上分配システム記述子」である「ｆｒｅｑｕｅｎｃｙフィールド」の値、又は、「周波数リストの記述子」である「ｐｈｙｓｉｃａｌ  ｃｈフィールド」及び「ｎｅｗ  ｐｈｙｓｉｃａｌ  ｃｈフィールド」の値が用いられる。また、ＤＶＢ規格では、ＮＩＴセクションで伝送される「ｆｒｅｑｕｅｎｃｙ  ｌｉｓｔ記述子」である「ｃｅｎｔｒｅ  ｆｒｅｑｕｅｎｃｙフィールド」の値、又は、「ｃｅｌｌ  ｆｒｅｑｕｅｎｃｙ  ｌｉｓｔ記述子」である「ｔｒａｎｓｐｏｓｅｒ  ｆｒｅｑｕｅｎｃｙフィールド」の値が用いられる。
なお、物理チャンネルを識別することのできる識別情報として周波数の値が用いられる場合には、この周波数の値と、この周波数の値で受信することのできる物理チャンネルの物理チャンネル番号とを対応付けた変換情報を記憶部１０８に予め記憶しておくことで、この変換情報に基づいて、周波数の値から物理チャンネル番号を特定することができる。
また、チャンネル情報には、番組のサービスＩＤ、番組のＴＳ＿ＩＤ等が含まれていてもよい。
一時記憶部１１１は、デジタル放送受信装置１００での処理に必要な情報を記憶する。例えば、本実施の形態においては、デマルチプレクス部１０２で分離された番組情報、選局制御部１０７で取得された現在地域情報等が記憶される。
【００２４】
図３は、デジタル放送受信装置１００の選局制御部１０７が行う処理を示すフローチャートである。図４は、地域Ａ及び地域Ｃにおける放送局の位置とそのサービスエリアの例を示す図である。図５は、地域の隣接関係を示す概略図である。図６〜図１５は、それぞれの地域の地域系列情報テーブル２３０Ａ〜２３０Ｊの一例を示す概略図である。なお図６〜図１５に示された括弧内の数字は物理チャンネル番号を示す。以下では、図４〜図１５を用いて、図３のフローチャートを説明する。図３のフローチャートは、図４に示すように、車１４０に搭載されたデジタル放送受信装置１００が、視聴対象放送局である放送局Ａ１のサービスエリアで番組の放送電波を受信している際に、地域Ｃの方向に移動することで、放送局Ｃ１のサービスエリアに入り、放送局Ａ１からの放送電波の受信状態が悪化した場合を例にして説明を行う。
【００２５】
前提として、デジタル放送受信装置１００は、選局制御部１０７の指示により、図６に示す地域Ａの地域系列情報テーブル２３０Ａにおいて、チャンネル情報Ａ１１で選局される放送局からの放送電波を受信しているものとする。
まず、選局制御部１０７は、デマルチプレクス部１０２がＴＳより分離して一時記憶部１１１に記憶させた番組情報より、視聴中の番組を放送している視聴対象放送局のサービスエリアが属する現在地域を特定する（Ｓ１０）。なお、選局制御部１０７は、このようにして特定した現在地域を示す現在地域情報を一時記憶部１１１に記憶させる。ここでは、現在地域情報は、地域Ａを示すものとする。
【００２６】
次に、選局制御部１０７は、視聴中の番組の放送電波の受信状態が悪化しているか判断する（Ｓ１１）。ここでは、選局制御部１０７は、受信状態検出部１０６より受信悪化通知を受けた場合に、受信状態が悪化していると判断する。そして、選局制御部１０７は、受信状態が悪化していると判断した場合（ステップＳ１１でＹｅｓ）には、ステップＳ１２の処理に進む。
【００２７】
ステップＳ１２では、選局制御部１０７は、隣接地域記憶部１０９に記憶されている隣接地域情報を参照することで、ステップＳ１０で特定した現在地域に隣接する隣接地域を特定する。ここでは、選局制御部１０７は、図５に示すように、現在地域である地域Ａに隣接する、地域Ｂ、Ｃ、Ｄ、Ｅ、Ｆ及びＧを隣接地域ＡＲ１として特定する。
【００２８】
次に、選局制御部１０７は、サーチ地域を、ステップＳ１２で特定した隣接地域に絞り込む（Ｓ１３）。なお、選局制御部１０７は、このようにしてサーチ地域として絞り込んだ隣接地域を示すサーチ地域情報を一時記憶部１１１に記憶させる。
【００２９】
次に、選局制御部１０７は、系列記憶部１１０に記憶されている系列情報を参照することで、サーチ地域に、視聴対象放送局と同一系列に対応付けられているチャンネル情報が存在するか否かを判断する（Ｓ１４）。例えば、現在視聴されている番組は、チャンネル情報Ａ１１で選局される番組であるため、選局制御部１０７は、図６に示す地域Ａの地域系列情報テーブル２３０Ａを参照することで、視聴対象放送局が、系列１に属する放送局であることがわかる。そこで、選局制御部１０７は、サーチ地域として絞り込まれた地域Ｂ〜Ｇのそれぞれの地域系列情報テーブル２３０Ｂ〜２３０Ｇ（図７〜図１２を参照）において、系列１に対応付けられているチャンネル情報が存在するか否かを判断する。そして、選局制御部１０７は、系列１に対応付けられているチャンネル情報が存在すると判断した場合（ステップＳ１４でＹｅｓ）には、ステップＳ１５の処理に進み、系列１に対応付けられているチャンネル情報が存在しないと判断した場合（ステップＳ１４でＮｏ）には、ステップＳ２５の処理に進む。
【００３０】
ステップＳ１５では、選局制御部１０７は、サーチ地域に属するチャンネル情報の内、視聴対象放送局と同一系列に対応付けられているチャンネル情報に含まれる物理チャンネルにサーチ対象を絞り込む。ここでは、図７〜図１２に示された地域系列情報テーブル２３０Ｂ〜２３０Ｇにおいて、系列１に対応付けられたチャンネル情報は、チャンネル情報Ｂ１１、Ｂ１２、Ｂ１３、Ｃ１１、Ｃ１２、Ｃ１３、Ｃ１４、Ｄ１１、Ｅ１１、Ｅ１２、Ｅ１３、Ｅ１４、Ｆ１１及びＧ１１である。そして、選局制御部１０７は、これらのチャンネル情報より、物理チャンネルを特定して、特定した物理チャンネルをサーチ対象とする。ここでは、サーチ対象は、ＣＨ−１１、ＣＨ−５１、ＣＨ−２４、ＣＨ−４１、ＣＨ−２２、ＣＨ−３６、ＣＨ−３３、ＣＨ−３１、ＣＨ−３５、ＣＨ−４４及びＣＨ−１２に絞り込まれる。
【００３１】
次に、選局制御部１０７は、ステップＳ１５で絞り込まれたサーチ対象の物理チャンネルに対して、その物理チャンネルの重複を確認して、サーチする物理チャンネルの優先順位を特定する（Ｓ１６）。このステップＳ１６で行う優先順位の特定処理については、図４を用いて詳細に説明する。ここでは、物理チャンネルの優先順位が、ＣＨ−１１、ＣＨ−３３、ＣＨ−５１、ＣＨ−３６、ＣＨ−４１、ＣＨ−１２、ＣＨ−２２、ＣＨ−２４、ＣＨ−３１、ＣＨ−３５、ＣＨ−４４の順に高い順位となっているものとする。
【００３２】
次に、選局制御部１０７は、サーチ対象の物理チャンネルの内、未サーチのものが存在するか否かを判断する（Ｓ１７）。そして、選局制御部１０７は、未サーチの物理チャンネルが存在すると判断した場合（ステップＳ１７でＹｅｓ）には、ステップＳ１８に進み、未サーチの物理チャンネルが存在しないと判断した場合（ステップＳ１７でＮｏ）には
、ステップＳ２５の処理に進む。
【００３３】
ステップＳ１８では、選局制御部１０７は、ステップＳ１６で特定した優先順位に従って、未サーチの物理チャンネルの内、最も優先順位の高い物理チャンネルを選局するように、チューナ部１０１に選局指示を行う（Ｓ１８）。なお、選局制御部１０７は、サーチを実行した物理チャンネルの物理チャンネル番号を示すサーチ済み対象情報を、一時記憶部１１１に記憶させる。
【００３４】
そして、選局制御部１０７は、ステップＳ１８で選局指示を行った物理チャンネルで放送電波を受信することができるか否かを判断する（Ｓ１９）。ここでは、選局制御部１０７は、受信状態検出部１０６より受信悪化通知を所定の期間受けない場合には、選局指示を行った物理チャンネルで放送電波を受信することができると判断する。そして、選局制御部１０７は、選局指示を行った物理チャンネルで放送電波を受信することができると判断した場合（ステップＳ１９でＹｅｓ）には、ステップＳ２０の処理に進み、選局指示を行った物理チャンネルで放送電波を受信することができないと判断した場合（ステップＳ１９でＮｏ）には、ステップＳ１７の処理に戻る。
【００３５】
ステップＳ２０では、選局制御部１０７は、受信することができると判断された放送電波に基づいてデマルチプレクス部１０２で分離された番組情報を確認することで、新たに選局された放送局が、視聴対象放送局と系列局関係にあるか否かを判断する（Ｓ２０）。ここでは、選局制御部１０７は、新たに選局された放送局が、地域Ａのチャンネル情報Ａ１１で特定される番組を放送している放送局と系列局関係にあるか否かを判断する。そして、選局制御部１０７は、系列局関係にあると判断した場合（ステップＳ２０でＹｅｓ）には、ステップＳ１０の処理に戻り、この番組情報で受信することのできる番組を視聴対象の番組とし、系列局関係にあると判断された放送局を新たな視聴対象放送局とする。一方、選局制御部１０７は、系列局関係にないと判断した場合（ステップＳ２０でＮｏ）には、ステップＳ２１の処理に進む。
【００３６】
なお、選局制御部１０７は、ステップＳ２０での処理を行った場合には、受信することができると判断された放送電波から得られた番組情報よりチャンネル情報を取得し、系列情報に登録する処理を行う。例えば、選局制御部１０７は、番組情報より、番組を放送する放送局のサービスエリアが属する地域及び番組を放送する放送局の系列局関係を示す情報を取得し、サーチを行った物理チャンネルを示すチャンネル情報が、これらに対応付けられて既に登録されている場合には、既に登録されているチャンネル情報に替えて、新たに取得されたチャンネル情報を登録する。また、サーチを行った物理チャンネルを示すチャンネル情報が、これらの地域及び系列局関係に対応付けられて記憶されていない場合には、これらの地域及び系列局関係に対応付けて、新たに取得されたチャンネル情報を登録する。
【００３７】
ステップＳ２１では、選局制御部１０７は、受信することができると判断された放送電波に基づいて、デマルチプレクス部１０２で分離された番組情報を確認して、この番組情報で特定される番組を放送する放送局のサービスエリアが含まれる地域を、推定現在地域として特定する。
【００３８】
ステップＳ２２では、選局制御部１０７は、ステップＳ２１で特定された推定現在地域が、一時記憶部１１１に記憶されている、現在地域情報で示される現在地域又は推定現在地域情報で示される推定現在地域と一致するか否を判断する。そして、選局制御部１０７は、一致すると判断した場合（ステップＳ２２Ｙｅｓ）には、ステップＳ１７の処理に戻り、一致しないと判断した場合（ステップＳ２２でＮｏ）には、ステップＳ２３に進む。なお、選局制御部１０７は、一致しないと判断した場合（ステップＳ２２でＮｏ）には、ステップＳ２１で特定した推定現在地域を示す推定現在地域情報を一時記憶部１１１に記憶させる。ここでは、推定現在地域情報は、地域Ｃを示すものとする。
【００３９】
ステップＳ２３では、選局制御部１０７は、隣接地域記憶部１０９に記憶されている隣接地域情報を参照することで、ステップＳ２１で特定した推定現在地域の隣接地域を特定し、ステップＳ２１で特定した推定現在地域及びこの推定現在地域の隣接地域を現在地域候補として特定する。例えば、ステップＳ２１で特定した推定現在地域は、実際に放送電波を受信することができる地域であるため、デジタル放送受信装置１００が現に存在している地域である可能性が高い。しかし、図４に示すように、例えば、地域Ｃ向けの放送局Ｃ１から送信された放送電波は、地域Ｃだけでなくその周辺、言い換えると地域Ｃの隣接地域である地域Ｂ及び地域Ｄとの境界付近でも受信することができる。そのため、ステップＳ２３では、推定現在地域である地域Ｃに対してその隣接地域を特定し、特定できた隣接地域も現在地域候補としている。ここでは、図５に基づいて、地域Ｃの隣接地域ＡＲ２として、地域Ａ、Ｂ、Ｄ、Ｈ、Ｉ及びＪが特定され、地域Ｃ、Ａ、Ｂ、Ｄ、Ｈ、Ｉ及びＪが現在地域候補となる。
【００４０】
次に、選局制御部１０７は、既にサーチ地域となっている地域と、ステップＳ２３で特定された現在地域候補に含まれている地域とを比較して、サーチ地域をこれら重複している地域にさらに絞り込み（Ｓ２４）、ステップＳ１４の処理に戻る。例えば、選局制御部１０７は、一時情報記憶部１１１に記憶されているサーチ地域情報で示される地域の内、現在地域候補にもなった地域を、サーチ地域として絞り込む。例えば、図５に示すように、既にサーチ地域とされている地域Ａの隣接地域ＡＲ１、現在地域候補とされている地域Ｃ及び地域Ｃの隣接地域ＡＲ２とが重複する地域ＡＲ３である地域Ｂ、Ｃ及びＤが、絞り込まれたサーチ地域となる。なお、選局制御部１０７は、一時記憶部１１１に記憶されているサーチ地域情報を更新して、更新後のサーチ地域情報が、ステップＳ２４で絞り込まれたサーチ地域を示すようにする。
【００４１】
一方、選局制御部１０７は、ステップＳ１４で、視聴対象放送局と同一系列に対応付けられているチャンネル情報が存在しないと判断した場合（ステップＳ１４でＮｏ）、及び、ステップＳ１７で、サーチ対象の物理チャンネルの内、未サーチの物理チャンネルが存在しないと判断した場合（ステップＳ１７でＮｏ）には、ステップＳ２５の処理に進む。
ステップＳ２５では、選局制御部１０７は、全ての物理チャンネルの内、未サーチの物理チャンネルが存在するか否かを判断する。例えば、選局制御部１０７は、一時記憶部１１１に記憶されているサーチ済み対象情報を参照することで、ステップＳ２５の判断を行う。そして、選局制御部１０７は、未サーチの物理チャンネルが存在する場合（ステップＳ２５でＹｅｓ）には、ステップＳ２６に進み、未サーチの物理チャンネルが存在しない場合（ステップＳ２５でＮｏ）には、ステップＳ２８に進む。
【００４２】
ステップＳ２６では、選局制御部１０７は、未サーチの物理チャンネルの中から一つの物理チャンネルを選択して、選択された物理チャンネルの選局を行うように、チューナ部１０１に選局指示を行う（Ｓ２６）。ここで、未サーチの物理チャンネルの中から一つの物理チャンネルを選択する方法については、どのような方法であってもよいが、例えば、選局制御部１０７は、物理チャンネル番号の小さいものから順に選択すればよい。
【００４３】
次に、選局制御部１０７は、ステップＳ１８で選局指示を行った物理チャンネルで放送電波を受信することができるか否かを判断する（Ｓ２７）。ここでは、選局制御部１０７は、受信状態検出部１０６より受信悪化通知を所定の期間受けない場合に、選局指示を行った物理チャンネルで放送電波を受信することができると判断する。そして、選局制御部１０７は、選局指示を行った物理チャンネルで放送電波を受信することができると判断した場合（ステップＳ２７でＹｅｓ）には、ステップＳ２０の処理に進み、選局指示を行った物理チャンネルで放送電波を受信することができないと判断した場合（ステップＳ２７でＮｏ）には、ステップＳ２５の処理に戻る。なお、選局制御部１０７は、サーチを実行した物理チャンネルの物理チャンネル番号を示すサーチ済み対象情報を、一時記憶部１１１に記憶させる。
【００４４】
一方、ステップＳ２８では、選局制御部１０７は、サーチ済みとされた物理チャンネルをクリアして、ステップＳ１７の処理に戻る。例えば、選局制御部１０７は、一時記憶部１１１に記憶されているサーチ済み対象情報を削除することで、サーチ済みとされた物理チャンネルをクリアする。
【００４５】
なお、図３のステップＳ１３では、現在地域と判定された地域（図３の例では、地域Ａ）の隣接地域のみをサーチ地域として絞り込んでいるが、例えば、現在地域と判定された地域をサーチ地域に含めてもよく、また、現在地域と判定された地域の隣接地域のさらに隣接地域をサーチ地域に含めてもよい。
ここで、現在地域と判定された地域をサーチ地域に含めない場合には、現在地域と判定された地域に含まれる系列局のサーチを図３に示すフローチャートとは別に行うことが望ましい。例えば、選局制御部１０７は、図３に示すフローチャートを開始する前に、現在地域と判定された地域において、視聴対象放送局と系列局関係にある放送局のチャンネル情報で特定される物理チャンネルを取得し、このような物理チャンネルに対して、系列局のサーチを行う。取得された物理チャンネルのサーチ順序については、隣接地域との重複数が多いものから順となるように定めてもよく、また、物理チャンネル番号の小さいもの順又は大きいもの順となるように定めてもよい。
【００４６】
図１６は、図３のステップＳ１６で行う優先順位の特定処理を示すフローチャートである。
【００４７】
まず、選局制御部１０７は、図３のステップＳ１５で視聴対象放送局と同系列に対応付けられているチャンネル情報より特定される各々の物理チャンネルについて、サーチ地域内において視聴対象放送局と同系列に対応付けられているチャンネル情報において重複している物理チャンネルの数を算出する（Ｓ３０）。例えば、図６〜図１５に示される例では、図３のステップＳ１５で系列１に対応付けられているチャンネル情報より特定される物理チャンネルは、ＣＨ−１１、ＣＨ−１２、ＣＨ−２２、ＣＨ−２４、ＣＨ−３１、ＣＨ−３３、ＣＨ−３５、ＣＨ−３６、ＣＨ−４１、ＣＨ−４４及びＣＨ−５１であり、これらの内、サーチ地域内の系列１に対応付けられているチャンネル情報において重複する物理チャンネルは、ＣＨ−１１、ＣＨ−３３及びＣＨ−５１であり、これらの重複数はＣＨ−１１が「２」、ＣＨ−３３及びＣＨ−５１が「１」となる。そして、ＣＨ−１１、ＣＨ−３３及びＣＨ−５１以外の物理チャンネルについては、重複無し（重複数「０」）となる。
【００４８】
次に、選局制御部１０７は、ステップＳ３０で算出した重複数の多いものから順に高くなる第１の優先度の値を割り当てる（Ｓ３１）。例えば、図６〜図１５に示される例では、重複数「２」となるＣＨ-１１を第１の優先度の値「１」、重複数「１」となるＣＨ−３３及びＣＨ−５１を第１の優先度の値「２」、これら以外の物理チャンネルを第１の優先度の値「３」とする。なお、第１の優先度として割り当てられた値の小さいものほど、優先度が高いものとする。
【００４９】
次に、選局制御部１０７は、ステップＳ３１で割り当てられた第１の優先度の値が同じ複数の物理チャンネルが存在するか否かを判断する（Ｓ３２）。そして、選局制御部１０７は、第１の優先度の値が同じ複数の物理チャンネルが存在する場合（ステップＳ３２でＹｅｓ）には、ステップＳ３３の処理に進み、第１の優先度の値が同じ複数の物理チャンネルが存在しない場合（ステップＳ３２でＮｏ）には、ステップＳ３８の処理に進む。
【００５０】
ステップＳ３３では、選局制御部１０７は、系列記憶部１１０に記憶されている系列情報の中から、サービスエリアがサーチ地域に属するが、視聴対象放送局とは系列局関係にない放送局のチャンネル情報を特定する。例えば、図３のステップＳ１３で絞り込まれたサーチ地域である地域Ｂ、Ｃ、Ｄ、Ｅ、Ｆ及びＧにサービスエリアが属し、系列１以外の系列に対応付けられているチャンネル情報を取得する。図６〜図１５の例では、チャンネル情報Ｂ２１、Ｂ２２、Ｂ２３、Ｂ２４、Ｂ２５、Ｂ３１、Ｃ２１、Ｃ２２、Ｃ２３、Ｃ２４、Ｃ２５、Ｄ２１、Ｅ２１、Ｅ２２、Ｅ２３、Ｅ３１、Ｅ３２、Ｅ３３、Ｅ４１、Ｅ４２、Ｆ２１、Ｆ２２及びＧ２１を特定する。
【００５１】
次に、選局制御部１０７は、第１の優先度の値が同じになった複数の物理チャンネルの各々について、ステップＳ３３で特定したチャンネル情報で特定される物理チャンネルとの重複数を算出する（Ｓ３４）。図６〜図１５に示される例では、第１の優先度の値が「２」であったＣＨ−３３については重複数「１」、第１の優先度の値が「２」であったＣＨ−５１については重複無し（重複数「０」）となる。また、第１の優先度の値が「３」であったＣＨ−１２、ＣＨ−２２、ＣＨ−２４、ＣＨ−３１、ＣＨ−３５及びＣＨ−４４については重複無し（重複数「０」）、第１の優先度の値が「３」であったＣＨ−３６及びＣＨ−４１については重複数「１」となる。
【００５２】
次に、選局制御部１０７は、ステップＳ３５で算出した重複数の多いものから順に高くなる第２の優先度の値を割り当てる（Ｓ３５）。例えば、図６〜図１５に示される例では、第１の優先度の値が「２」であった、ＣＨ−３３には、第２の優先度「１」、ＣＨ−５１には第２の優先度「２」が割り当てられる。また、第１の優先度の値が「３」であった、ＣＨ−３６及びＣＨ−４１には、第２の優先度の値「１」、ＣＨ−１２、ＣＨ−２２、ＣＨ−２４、ＣＨ−３１、ＣＨ−３５及びＣＨ−４４には、第２の優先度の値「２」がそれぞれ割り当てられる。第２の優先度についても、割り当てられた値の小さいものほど、優先度が高いものとする。
【００５３】
次に、選局制御部１０７は、第１の優先度及び第２の優先度の値がともに同じ複数の物理チャンネルがあるか否かを判断する（Ｓ３６）。そして、選局制御部１０７は、第１の優先度及び第２の優先度の値がともに同じ複数の物理チャンネルがある場合（ステップＳ３６でＹｅｓ）には、ステップＳ３７の処理に進み、第１の優先度及び第２の優先度の値がともに同じ複数の物理チャンネルがない場合（ステップＳ３６でＮｏ）には、ステップＳ３８の処理に進む。
【００５４】
ステップＳ３７では、選局制御部１０７は、第１の優先度及び第２の優先度の値がともに同じである複数の物理チャンネル毎に、第３の優先度を割り当てる。ここでは、例えば、選局制御部１０７は、第１の優先度及び第２の優先度の値がともに同じである複数の物理チャンネル毎に、物理チャンネル番号の小さいものから順に優先度が高くなる第３の優先度の値を割り当てる。例えば、図６〜図１５に示される例では、第１の優先度の値が「３」及び第２の優先度の値が「１」であった、ＣＨ−３６には、第３の優先度の値「１」、ＣＨ−４１には、第３の優先度の値「２」が割り当てられる。また、第１の優先度の値が「３」及び第２の優先度の値が「２」であった、ＣＨ−１２、ＣＨ−２２、ＣＨ−２４、ＣＨ−３１、ＣＨ−３５及びＣＨ−４４には、第３の優先度の値として、「１」、「２」、「３」、「４」、「５」及び「６」がそれぞれ割り当てられる。第３の優先度についても、割り当てられた値の小さいものほど、優先度が高いものとする。
【００５５】
ステップＳ３８では、選局制御部１０７は、第１の優先度、第２の優先度及び第３の優先度を用いて、物理チャンネルを優先度の高いものから順に、優先順位付けを行う。ここでは、まず、第１の優先度が高い物理チャンネルから順に優先順位が決まり、第１の優先度が同じ複数の物理チャンネルについては、第２の優先度が高い物理チャンネルから順に優先順位が決まる。さらに、第１の優先度及び第２の優先度が同じ複数の物理チャンネルについては、第３の優先度が高い物理チャンネルから順に優先順位が決まる。例えば、図６〜図１５に示される例では、まず、第１の優先度の値「１」は、ＣＨ−１１だけに割り当てられているため、ＣＨ−１１が優先順位「１」となる。第１の優先度の値「２」が割り当てられたＣＨ−３３及びＣＨ−５１については、第２の優先度の値が「１」となったＣＨ−３３が優先順位「２」となり、第２の優先度の値が「２」となったＣＨ−３３が優先順位「３」となる。第１の優先度の値「３」及び第２の優先度の値「１」が割り当てられたＣＨ−３６及びＣＨ−４１については、第３の優先度の値が「１」となったＣＨ−３６が優先順位「４」となり、第３の優先度の値が「２」となったＣＨ−４１が優先順位「５」となる。第１の優先度の値「３」及び第２の優先度の値「２」が割り当てられたＣＨ−１２、ＣＨ−２２、ＣＨ−２４、ＣＨ−３１、ＣＨ−３５及びＣＨ−４４には、第３の優先度の値が「１」となったＣＨ−１２が優先順位「６」となり、第３の優先度の値が「２」となったＣＨ−２２が優先順位「７」となり、第３の優先度の値が「３」となったＣＨ−２４が優先順位「８」となり、第３の優先度の値が「４」となったＣＨ−３１が優先順位「９」となり、第３の優先度の値が「５」となったＣＨ−３５が優先順位「１０」となり、第３の優先度の値が「６」となったＣＨ−４４が優先順位「１１」となる。以上のようにして、選局制御部１０７は、物理チャンネルについて、ＣＨ−１１、ＣＨ−３３、ＣＨ−５１、ＣＨ−３６、ＣＨ−４１、ＣＨ−１２、ＣＨ−２２、ＣＨ−２４、ＣＨ−３１、ＣＨ−３５、ＣＨ−４４の順に高い順位となる優先順位を特定する。
【００５６】
図１６に示したフローチャートでは、ステップＳ３０及びステップＳ３４において、それぞれ物理チャンネルの重複数を算出して、第１の優先度及び第２の優先度を定めているが、ステップＳ３０においてこれらの何れか一方だけを定めて、この何れか一方の優先度が同じ複数の物理チャンネルについては、第３の優先度を割り当てて、優先順位を定めるようにしてもよい。また、ステップＳ３４で示されるような、視聴対象放送局と系列局関係にない放送局のチャンネル情報から得られる物理チャンネルの重複数に基づいて第１の優先度を割り当て、ステップＳ３０で示されるような、視聴対象放送局と系列局関係にある放送局のチャンネル情報から得られる物理チャンネルの重複数に基づいて第２の優先度を割り当てるようにしてもよい。また、ステップＳ３０で示されるような、視聴対象放送局と系列局関係にある放送局のチャンネル情報から得られる物理チャンネルと、ステップＳ３４で示されるような、視聴対象放送局と系列局関係にない放送局のチャンネル情報から得られる物理チャンネルとの重複数をまとめて算出して、算出した重複数に基づいて優先度を割り当て、このようにして割り当てた優先度が同じ複数の物理チャンネルについては、第３の優先度で優先順位を定めるようにしてもよい。
【００５７】
以上のように、実施の形態１に係るデジタル放送受信装置１００では、視聴中の番組の受信状態が悪化した場合に、視聴中の番組の放送電波を受信していた地域に隣接する地域をサーチ地域として絞り込むとともに、何らかの番組の放送電波を受信することができた場合には、このような放送電波を受信できた地域及びこの地域に隣接する地域と、既に特定されているサーチ地域に含まれる地域とが重複する地域にサーチ地域をさらに絞り込むため、効率的なチャンネルサーチを行うことができる。また、サーチ地域に含まれる放送局のチャンネル情報で示される物理チャンネルにつき、何らかの番組の放送電波を受信することのできる可能性の高い物理チャンネルの順位が高くなるように優先順位を割り当て、この優先順位に従って系列局のサーチを行うため、効率的なサーチを行うことができる。
【００５８】
また、実施の形態１に係るデジタル放送受信装置１００は、自装置が搭載等されている移動体が移動することにより、視聴中の番組の放送電波の受信状態が悪化したときに、ユーザの操作によらず、自動的に系列局関係にある放送局から放送されている番組の放送電波を受信することができる。さらに、実施の形態１に係るデジタル放送受信装置１００は、受信状態検出部１０６における検出の方法によっては、視聴中の番組が受信できなくなる前に、他の系列放送局を自動的に選局することができる。
【００５９】
また、上述した特許文献１に記載された地上波ディジタル放送受信装置では、地域毎のチャンネルテーブルから、現在地域のチャンネルテーブルを選択し、選択したチャンネルテーブルに登録されている系列局を順番にサーチしている。即ち、特許文献１に記載された地上波ディジタル放送受信装置では、現在地域の隣接地域をサーチ地域に含んでいないため、現在地域の検出精度が低い場合、例えば、図４のように、地域Ａと地域Ｃとの境界付近で、地域Ｂ又はＤに属する放送局からの放送電波を受信したような場合には、サーチ時間が長くなってしまう。これに対して、実施の形態１に係るデジタル放送受信装置１００では、サーチ地域に現在地域の隣接地域が含まれているため、例えば、図４のように、地域Ａと地域Ｃとの境界付近で、地域Ｂ又はＤに属する放送局からの放送電波を受信したような場合であっても、地域Ｃに属する放送局を優先的にサーチすることができる。
【００６０】
さらに、特許文献１に記載された地上波ディジタル放送受信装置では、現在地域のチャンネルテーブルに登録されている系列局を順番にサーチしている。これに対して、実施の形態１に係るデジタル放送受信装置１００では、サーチ地域に含まれる系列局の物理チャンネルの内、サーチ地域に含まれる系列局及び非系列局の物理チャンネルとの重複数を算出して、この重複数の多いものから順にサーチを行うようにしている。このため、サーチされた物理チャンネルで、視聴していた番組と同じ番組の放送電波を受信することのできる確率が高まるとともに、放送電波が受信された非系列局のサービスエリアから、さらにサーチ地域を絞り込むことができるため、効率的な系列局のサーチを行うことができる。
【００６１】
また、上述した特許文献１に記載された従来の地上波ディジタル放送受信装置でチャンネルサーチを行う際には、サーチを試みる手順によってサーチ回数が変わる。ここで、例えば、図４〜図１５に示す例に、特許文献１に記載された地上波ディジタル放送受信装置を適用した場合において、図４に示すように、放送局Ａ１のサービスエリアから、放送局Ｃ１のサービスエリアに移動した際に、放送局Ｃ１のチャンネル情報Ｃ１４に対応する物理チャンネルＣＨ−３６を発見するまでに要するサーチ回数を算出する。特許文献１に記載された地上波ディジタル放送受信装置では、地域Ｃを最初にサーチできた場合は、図８に示す地域系列情報テーブル２３０Ｃにおいて、系列１に対応するチャンネル情報の物理チャンネルを順番にサーチすればよいため、物理チャンネルＣＨ−３６を発見するまでに要するサーチ回数は、最小の４回となる。また、この地上波ディジタル放送受信装置で、地域Ｇ、地域Ｂ、地域Ｅ、地域Ｆに属する放送局をサーチしてから、地域Ｃに属する放送局のサーチを行った場合には、物理チャンネルＣＨ−３６を発見するまでに要するサーチ回数は、図１２、７、１０及び１１に示す地域系列情報テーブル２３０Ｇ、２３０Ｂ、２３０Ｅ及び２３０Ｆの系列１に対応するチャンネル情報を集計することで求められ、１１回となる。即ち、特許文献１に記載された従来の地上波ディジタル放送受信装置では、最初にサーチを行う地域の決め方によってサーチに要する時間が大きく変化する。
一方、図４〜図１５に示す例において、本実施の形態に係るデジタル放送受信装置１００では、物理チャンネルＣＨ−３６を発見するまでに要するサーチ回数は、６回となる。このため、特許文献１記載された地上波ディジタル放送受信装置とは異なり、系列局のサーチに時間がかかる最悪ケース（１１回サーチするケース）をなくすことができ、その結果、平均してサーチ時間を短縮することができる。また、サーチ時間が削減されることで、番組の視聴が中断される時間も短縮されることになる。
【００６２】
実施の形態２．
図１７は、実施の形態２に係るデジタル放送受信装置２００の構成を概略的に示すブロック図である。デジタル放送受信装置２００は、チューナ部１０１と、デマルチプレクス部１０２と、デコード部１０３と、映像表示部１０４と、音声出力部１０５と、受信状態検出部１０６と、選局制御部２０７と、記憶部２０８とを備える。実施の形態２に係るデジタル放送受信装置２００は、選局制御部２０７及び記憶部２８０において、実施の形態１に係るデジタル放送受信装置１００と異なっている。
【００６３】
選局制御部２０７は、実施の形態１における選局制御部１０７と同様の処理を行うほか、番組が視聴されている際に、この番組を放送している放送局から、この放送局と系列局関係にある放送局に選局が切り替えられた場合に、視聴されていた番組を放送していた放送局（切替元の放送局）のチャンネル情報と、この放送局のサービスエリアが属する地域を示す情報との組と、受信チャンネルの切り替え後の系列局関係にある放送局（切替先の放送局）のチャンネル情報と、この系列局関係にある放送局のサービスエリアが属する地域を示す情報との組とを対応付けた選局履歴情報を生成して、この選局履歴情報を記憶部２０８に記憶させる。例えば、選局制御部２０７は、視聴されていた番組の物理チャンネルから他の物理チャンネルに受信チャンネルが変更された場合に、この視聴されていた番組を放送していた放送局と、他の物理チャンネルで受信された番組を放送している放送局とが系列局関係にあると判断したときには、これらのチャンネル情報を、これらの放送局のサービスエリアが属する地域を示す情報に対応付けた選局履歴情報を生成して、この選局履歴情報を記憶部２０８に記憶させる。
【００６４】
また、本実施の形態における選局制御部２０７は、生成した選局履歴情報を参照することで、サーチ対象とされた物理チャンネルに対応する放送局が、同じ地域の放送局との間でしか切り替えを行っていない場合には、このような放送局を他地域非隣接放送局として特定する。例えば、図４に示す地域Ｃに含まれる放送局Ｃ３のように、地域の中央付近にある放送局については、デジタル放送受信装置２００がその放送局のサービスエリアに入る場合、及び、そのサービスエリアから出る場合にも、デジタル放送受信装置２００は、同じ地域Ｃ内に含まれている、放送局Ｃ１、Ｃ２、Ｃ４又はＣ５との間でしか、放送局の選局の切り替えを行うことができない。このため、選局履歴情報において、放送局Ｃ３から受信されたチャンネル情報も、これらの４つの放送局から受信されたチャンネル情報にしか対応付けられておらず、他の地域のチャンネル情報には対応付けられていない。そこで、選局制御部２０７は、選局履歴情報を参照して、他の地域のチャンネル情報に対応付けられているか否かを確認することで、ある放送局が他地域非隣接放送局か否かを判断することができる。
【００６５】
そして、本実施の形態における選局制御部２０７は、サーチ対象となる物理チャンネルが、他地域非隣接放送局の物理チャンネルである場合には、このような物理チャンネルの優先順位を引き下げる処理を行う。言い換えると、選局制御部２０７は、サーチ対象の物理チャンネルの優先順位を定める際に、他地域非隣接放送局だけに対応する物理チャンネルについては、サーチ対象に含まれていても受信することができないと判断される可能性が高いため、その優先順位を引き下げる。例えば、図４の例では、放送局Ｃ３は他地域非隣接放送局であるため、その物理チャンネルであるＣＨ−１１の優先順位を引き下げる。但し、サーチ地域に含まれる放送局の内、このＣＨ−１１で選局できる他の放送局がある場合には、ＣＨ−１１で選局することのできる全ての放送局（サーチ地域に含まれているもの）が他地域非隣接放送局であるときに、選局制御部２０７は、このＣＨ−１１の優先順位を引き下げる。
【００６６】
記憶部２０８は、隣接地域記憶部１０９と、系列記憶部１１０と、一時記憶部１１１と、選局履歴記憶部２１２とを備える。実施の形態２に係る記憶部２０８は、選局履歴記憶部２１２をさらに備える点において、実施の形態１に係る記憶部１０８と異なる。
【００６７】
選局履歴記憶部２１２は、選局制御部２０７で生成された選局履歴情報を記憶する。選局履歴情報は、視聴されていた番組を放送していた放送局のチャンネル情報と、この放送局のサービスエリアが属する地域を示す情報との組と、この放送局から選局が切り替えられた後の系列局関係にある放送局のチャンネル情報と、この系列局関係にある放送局のサービスエリアが属する地域を示す情報との組とが対応付けられている。
なお、選局履歴情報には、選局が切り替えられた回数がさらに対応付けられていてもよい。また、選局履歴情報は、選局制御部２０７によって自動的に系列局がサーチされて、受信チャンネルが系列局に切り替えられた場合だけでなく、ユーザの選局操作によって受信チャンネルが切り替えられた場合にも生成されてもよい。
【００６８】
図１８は、実施の形態２における優先順位の特定処理を示すフローチャートである。図１８に示す実施の形態２に係るフローチャートは、ステップＳ４２として第１の優先度を引き下げるステップが追加されている点において、図１６に示す実施の形態１に係るフローチャートと異なっている。
【００６９】
まず、選局制御部２０７は、ステップＳ４０及びステップＳ４１の処理を行うことで、各々の物理チャンネルに第１の優先度を割り当てる。これらのステップでの処理は、図１６に示すフローチャートのステップＳ３０及びステップＳ３１での処理と同様である。例えば、図６〜図１５の例では、系列１のチャンネル情報から特定される物理チャンネルは、ＣＨ−１１、ＣＨ−１２、ＣＨ−２２、ＣＨ−２４、ＣＨ−３１、ＣＨ−３３、ＣＨ−３５、ＣＨ−３６、ＣＨ−４１、ＣＨ−４４及びＣＨ−５１である。これらの物理チャンネルの内、サーチ地域内の系列１に対応付けられているチャンネル情報において重複するものは、ＣＨ−１１、ＣＨ−３３及びＣＨ−５１であり、その重複数はＣＨ−１１が「２」、ＣＨ−３３及びＣＨ−５１が「１」となる。そして、ＣＨ−１１、ＣＨ−３３及びＣＨ−５１以外の物理チャンネルについては、重複無し（重複数「０」）となる。そして、重複数「２」となるＣＨ-１１には、第１の優先度の値が「１」、重複数「１」となるＣＨ−３３及びＣＨ−５１には、第１の優先度の値が「２」、これら以外の物理チャンネルには、第１の優先度の値が「３」となる。
【００７０】
次に、選局制御部２０７は、選局履歴記憶部２１２に記憶されている選局履歴情報を参照し、各物理チャンネルに対応するチャンネル情報の地域と、切り替え先又は切り替え元のチャンネル情報の地域とを確認することで、各物理チャンネルに対応する放送局が他地域非隣接放送局であるか否かの判断を行う。そして、選局制御部２０７は、他地域非隣接放送局と判断された放送局だけに対応する物理チャンネルに、最も低い優先度の値を割り当てる（Ｓ４２）。例えば、物理チャンネルＣＨ−１１に対応する放送局がすべて他地域非隣接放送局であると判断された場合には、ＣＨ−１１の優先度を引き下げて、最も低い優先度の値「４」を割り当てる。このようにすることで、選局制御部２０７は、他地域非隣接放送局しか選局できない物理チャンネルに対してはその優先順位を下げて、他の地域にサービスエリアが隣接している放送局が優先的にサーチされるようにする。
【００７１】
そして、選局制御部２０７は、場合によってステップＳ４３〜Ｓ４６の処理を行うことで、第２の優先度の割り当てを行い、また、場合によってステップＳ４７及びＳ４８の処理を行うことで、第３の優先度の割り当てを行う。さらに、選局制御部２０７は、ステップＳ４９を行うことで、各物理チャンネルの優先順位付けを行う。ここで、ステップＳ４３〜Ｓ４９での処理は、図１６におけるステップＳ３２〜Ｓ３８での処理と同様である。以上のようにして、選局制御部２０７は、物理チャンネルについて、ＣＨ−３３、ＣＨ−５１、ＣＨ−３６、ＣＨ−４１、ＣＨ−１２、ＣＨ−２２、ＣＨ−２４、ＣＨ−３１、ＣＨ−３５、ＣＨ−４４、ＣＨ−１１の順に高い順位となる優先順位を特定する。
【００７２】
以上のように、実施の形態２に係るデジタル放送受信装置２００は、サーチ対象となる物理チャンネルの内、サービスエリアが他の地域と隣接していない放送局の物理チャンネルについては、優先順位を下げているため、各地域間の境界付近でのチャンネルサーチの時間を短縮することができる。このため、番組の視聴が中断される時間を短縮させることができる。
【００７３】
また、実施の形態２に係るデジタル放送受信装置２００では、物理チャンネルの優先順位を定める際に、ある放送局が他の地域の放送局との切り替えを行ったことがあるかどうかを選局履歴情報で確認しているため、例えば、現在視聴中の放送局との切替実績がない放送局であっても、他の地域への切り替え実績があれば、優先順位が下がってしまうことはなく、このような放送局に対しても優先的にサーチを行うことができる。このため、番組視聴が中断される時間を短縮させることができる。
【００７４】
特に、図４〜図１５の例によると、実施の形態２を適用したデジタル放送受信装置２００では、図４に示すように、放送局Ａ１のサービスエリアから、放送局Ｃ１のサービスエリアに移動した際に、放送局Ｃ１のチャンネル情報Ｃ１４に対応する物理チャンネルＣＨ−３６を発見するまでに要するサーチ回数は３回となり、実施の形態１に係るデジタル放送受信装置１００におけるサーチ回数６回よりもサーチ回数が少なくなる。
【００７５】
以上に記載した実施の形態２では、サーチ地域に含まれる放送局が他地域非隣接放送局であるか否かを判断しているが、例えば、視聴対象放送局が他地域非隣接放送局であるか否かを判断して、この視聴対象放送局が他地域非隣接放送局である場合には、この視聴対象放送局が属する地域の放送局を優先してサーチするために、隣接地域に属する放送局だけに対応する物理チャンネルの優先順位を下げるようにしてもよい。例えば、図１８のステップＳ４２において、視聴対象放送局が他地域非隣接放送局である場合には、選局制御部２０７は、隣接地域に属する放送局だけに対応する物理チャンネルの第１の優先度を最も低いものにすることで、このような放送局に対応する物理チャンネルの優先順位を引き下げる。
【００７６】
以上に記載した実施の形態２では、選局履歴情報には、系列局関係にある放送局同士で選局が切り替えられた場合に、切替元の放送局のチャンネル情報及び地域を示す情報の組と、切替先の放送局のチャンネル情報及び地域を示す情報の組とが対応付けられて登録されているが、例えば、系列局関係にない放送局同士で選局が切り替えられた場合にも、切替元の放送局のチャンネル情報及び地域を示す情報と、切替先の放送局のチャンネル情報及び地域を示す情報との組とが対応付けられて登録されていてもよい。
【００７７】
なお、本実施の形態２では選局履歴情報として、放送局のチャンネル情報及びその放送局のサービスエリアが属する地域情報の組と、系列局のチャンネル情報及びその系列局のサービスエリアが属する地域情報の組を対応付けて記憶しているが、これらの放送局のチャンネル情報を元に記憶部１１０を検索することで地域情報を取得することが可能であるので、選局履歴情報として放送局のチャンネル情報と系列局のチャンネル情報とを対応付けて記憶するだけでも良いことは明らかである。
【００７８】
実施の形態３．
図１９は、実施の形態３に係るデジタル放送受信装置３００の構成を概略的に示すブロック図である。デジタル放送受信装置３００は、チューナ部１０１と、デマルチプレクス部１０２と、デコード部１０３と、映像表示部１０４と、音声出力部１０５と、受信状態検出部１０６と、選局制御部３０７と、記憶部２０８とを備える。実施の形態３に係るデジタル放送受信装置３００は、選局制御部３０７において、実施の形態２に係るデジタル放送受信装置２００と異なっている。
【００７９】
実施の形態３における選局制御部３０７は、実施の形態２における選局制御部２０７と同様の処理を行うほか、選局履歴記憶部２１２に記憶されている選局履歴情報を参照することで、視聴対象放送局から切り替わる頻度の高い地域に属する放送局の物理チャンネルを優先的にサーチできるようにする。例えば、図４の例において、選局制御部３０７は、放送局Ａ１に対応するチャンネル情報の選局履歴情報を参照することで、地域Ｃへの切替頻度が高いと判断したら、この地域Ｃに属する系列局を優先的にサーチする処理を行う。
【００８０】
図２０は、デジタル放送受信装置３００の選局制御部３０７が行う処理を示すフローチャートである。図２０に示すフローチャートでは、選局制御部３０７が、選局履歴情報を用いて隣接地域への切り替わりの頻度を確認し、その頻度からサーチを行う地域をグループに分けして（Ｓ５４）、そのグループ毎にチャンネルサーチを実行する（Ｓ５５〜Ｓ６１、Ｓ６９）処理において、図３に示すフローチャートと異なっている。言い換えると、図２０のステップＳ５０〜ステップＳ５３の処理は、図３のステップＳ１０〜Ｓ１３の処理と同様であり、図２０のステップＳ６２〜ステップＳ６８の処理は、図３のステップＳ２１〜Ｓ２７の処理と同様である。このため、以下では、図２０のステップＳ５４〜Ｓ６１及びステップＳ６９の処理について説明する。
【００８１】
まず、選局制御部１０７は、ステップＳ５０〜Ｓ５３の処理を行うことで、例えば、地域Ａを現在地域として特定し、この地域Ａの隣接地域として地域Ｂ、Ｃ、Ｄ、Ｅ、Ｆ及びＧを特定し、これらの地域をサーチ地域としているものとする。
【００８２】
次に、選局制御部３０７は、選局履歴記憶部２１２に記憶されている選局履歴情報を参照することにより、現在地域からサーチ地域に含まれている各地域に移動する移動可能性の高さを判断して、この移動可能性の高さに応じて、サーチ地域に含まれている各地域を複数のグループに分類する（Ｓ５４）。例えば、選局制御部３０７は、選局履歴記憶部２１２に記憶されている選局履歴情報を参照することにより、視聴対象放送局から、サーチ地域に含まれている各放送局に切り替わった頻度を計算し、この切替頻度を地域毎に集計することで、現在地域から各隣接地域への移動可能性の高さを判断する。図５に示された例では、例えば、地域Ｃは切替頻度が高く、地域Ｂ及びＤはあまり切替頻度が高くなかったとすると、切替頻度の集計値が高いグループとして地域Ｃを、切替頻度の集計値が低いグループとして地域Ｂ及び地域Ｄを、切替実績のないグループとして残りの隣接地域である地域Ｅ、Ｆ、およびＧを、グループ分けする。例えば、選局制御部３０７は、予め定められた閾値に基づいて、この切替頻度が高いか低いかを判断する。
【００８３】
次に、選局制御部３０７は、複数に分割されたグループで未だサーチを行っていないものが存在するか否かを判断する（Ｓ５５）。そして、選局制御部３０７は、未だサーチを行っていないグループが存在すると判断した場合（ステップＳ５５でＹｅｓ）には、ステップＳ５６の処理に進み、未だサーチを行っていないグループが存在しないと判断した場合（ステップＳ５５でＮｏ）には、ステップＳ６６の処理に進む。
【００８４】
ステップＳ５６では、選局制御部３０７は、未サーチのグループから、一つのグループを特定して、特定したグループに属する地域のチャンネル情報の内、視聴対象放送局と同一系列に対応付けられているチャンネル情報より特定される物理チャンネルにサーチ対象を絞り込む。ここで、選局制御部３０７は、ステップＳ５４で集計した切替頻度の集計値の高い地域が含まれているグループから順に、一つのグループを特定する。また、選局制御部３０７は、ステップＳ５６で特定したグループを識別することのできるサーチ済みグループ情報を、一時記憶部１１１に記憶させる。
【００８５】
ステップＳ５７では、選局制御部３０７は、サーチ対象の物理チャンネルに対して、その物理チャンネルの重複を確認して選局する物理チャンネルの優先順位を特定する。ステップＳ５７での処理は、図１８のフローチャートで示される処理と同様である。
【００８６】
次に、選局制御部３０７は、サーチ対象の物理チャンネルの内、未サーチのものが存在するか否かを判断する（Ｓ５８）。そして、選局制御部３０７は、未サーチの物理チャンネルが存在すると判断した場合（ステップＳ５８でＹｅｓ）には、ステップＳ５９に進み、未サーチの物理チャンネルが存在しないと判断した場合（ステップＳ５８でＮｏ）には
、ステップＳ５５の処理に戻る。
【００８７】
ステップＳ５９では、選局制御部３０７は、ステップＳ５７で特定した優先順位に従って、未サーチの物理チャンネルの内、最も優先順位の高い物理チャンネルの選局を行うように、チューナ部１０１に選局指示を行う。なお、選局制御部３０７は、サーチを実行した物理チャンネルの物理チャンネル番号を示すサーチ済み対象情報を、一時記憶部１１１に記憶させる。
【００８８】
そして、選局制御部３０７は、ステップＳ５９で選局指示を行った物理チャンネルで放送電波を受信することができるか否かを判断する（Ｓ６０）。そして、選局制御部３０７は、選局指示を行った物理チャンネルで放送電波を受信することができると判断した場合（ステップＳ６０でＹｅｓ）には、ステップＳ６１の処理に進み、選局指示を行った物理チャンネルで放送電波を受信することができないと判断した場合（ステップＳ６０でＮｏ）には、ステップＳ５８の処理に戻る。
【００８９】
ステップＳ６１では、選局制御部３０７は、受信することができると判断された放送電波に基づいて、デマルチプレクス部１０２で分離された番組情報を確認することで、選局された放送局が、視聴対象放送局と系列局関係にあるか否かを判断する。そして、選局制御部３０７は、系列局関係にあると判断した場合（ステップＳ６１でＹｅｓ）には、ステップＳ５０に戻り、この番組情報で受信することのできる番組の放送電波の受信を開始する。一方、選局制御部３０７は、系列局関係にないと判断した場合（ステップＳ６１でＮｏ）には、ステップＳ６２の処理に進む。ステップＳ６２〜Ｓ６８までの処理は、図３のステップＳ２１〜Ｓ２７までの処理と同様である。
【００９０】
ステップＳ６９では、選局制御部３０７は、サーチ済みの対象及びグループをクリアして、ステップＳ５５の処理に戻る。例えば、選局制御部３０７は、一時記憶部１１１に記憶されているサーチ済み対象情報及びサーチ済みグループ情報を削除することで、サーチ済みとされた対象及びグループをクリアする。
【００９１】
なお、ステップＳ６５で、サーチ地域がさらに絞り込まれた後には、選局制御部３０７は、ステップＳ５４の処理に戻り、サーチ地域のグループ分けをやり直す。また、ステップＳ６９で、サーチ済みの対象をクリアした後には、選局制御部３０７は、ステップＳ５４の処理に戻り、サーチ地域のグループ分けをやり直す。このようにすることで、例えば、ステップＳ６７及びＳ６８のサーチ結果で、新たなチャンネル情報が系列情報に登録された場合には、この新たに見つかったチャンネル情報も含めて、ステップＳ５７の物理チャンネルの優先順位が特定される。
【００９２】
なお、図２０のステップＳ５４で行われるグループ分けは、閾値を用いて切替頻度が閾値を超えたか否かで判断してもよいが、例えば、地域毎の切替頻度を全ての地域の切替回数で除算して、「１００」を乗算した切替割合を各地域で算出し、この切替割合に基づいて、グループ分けを行ってもよい。例えば、この切替割合３０％の地域が２個で、切替割合２％である地域が２０個であるような場合は、この３０％の切替割合をもつ２地域への移動可能性が、他に比べて明らかに高いといえるため、この２地域のように他と比べて明らかに切替割合の高いものを抽出して一つのグループとしてもよい。例えば、地域毎の切替頻度の集計値から、地域毎の標準偏差を求め、この標準偏差の値を予め定められた閾値で分類することで、他と比べて明らかに移動可能性が高い地域のグループ分けを行うことができる。
また、図２０のステップＳ５４で行われるグループ分けは、閾値を増やして、もっと細分化したグループ分けを行ってもよく、また、閾値を減らして、グループ分けを２つだけにしてもよい。
【００９３】
また、図２０のステップＳ５５でＹＥＳとなり、あるグループにおけるサーチを行う際に、そのグループに属する地域の数がある閾値を下回った場合、例えば、そのグループに属する地域の数が一つになった場合には、サーチ対象となる物理チャンネルの数も少なくなっている。このため、このような場合には、選局制御部３０７は、ステップＳ５７の優先順位を特定する処理を行わずに、そのグループに属する系列局の物理チャンネルを、予め定められた順番に従って、例えば、物理チャンネル番号の小さいものから順番に、サーチを行うようにしてもよい。
【００９４】
以上のように、実施の形態３に係るデジタル放送受信装置３００では、サーチ地域である隣接地域に移動する移動可能性の高さでいくつかのグループに分類し、そのグループ毎にサーチ対象の物理チャンネルを絞り込んでサーチ行うようにしたので、移動可能性の高い地域の放送局を優先的にサーチすることができる。このため、例えば、通勤等で週の前半と週の後半で異なる地域に移動しているような場合には、これらの地域に移動する可能性が高くなるため、これらの地域に属する放送局が優先的にサーチされる。
【００９５】
特に、図４〜図１５で示される例では、通勤などで地域Ａと地域Ｃとの間を頻繁に往復している場合などには、地域Ｃを優先的にサーチすることができるので、その結果地域Ｃの系列局の物理チャンネルであるＣＨ−１１、ＣＨ−２２、ＣＨ−３６及びＣＨ−４１にサーチ対象を絞ってサーチを行うことができ、サーチ回数減らすことができる。
【００９６】
以上に記載した実施の形態１、２及び３では、選局制御部１０７、２０７、３０７が系列情報を生成して系列記憶部１１０に記憶するようにしているが、選局制御部１０７、２０７、３０７が生成せずに、予め系列記憶部１１０に系列情報が記憶されていてもよい。このような場合には、チャンネル情報は、放送局又は中継局毎に登録されていてもよく、また、チャンネル情報として、物理チャンネル番号及び番組を選局するための周波数の少なくとも何れか一方のみが登録されていてもよい。さらに、このような場合には、選局制御部１０７、２０７、３０７は、番組を視聴するために必要なＴＳ＿ＩＤ等の情報を記憶部１０８、２０８に記憶させる。
また、選局制御部１０７、２０７、３０７は、受信信号から各放送局の系列局関係とその周波数を示す情報、例えば、周波数リスト情報を取得し、これらの情報を元に、各放送局の系列局関係、チャンネル情報及びそのサービスエリアが属する地域の少なくとも一つを系列情報に登録するようにしてもよい。
【００９７】
以上に記載した実施の形態１、２及び３では、選局制御部１０７、２０７、３０７は、サーチされた系列局の受信電波を受信することができると判断した後に（ステップＳ１９でＹｅｓ、ステップＳ６０でＹｅｓ）、系列局であるか否かを判断しているが（ステップＳ２０、ステップＳ６１）、系列情報は、系列局関係にある放送局のチャンネル情報を登録したものであるため、このような系列局であるか否かを判断するステップを省いてもよい。
【符号の説明】
【００９８】
１００，２００，３００：デジタル放送受信装置、  １０１：チューナ部、  １０２：デマルチプレクス部、  １０３：デコード部、  １０４：映像表示部、  １０５：音声出力部、  １０６：受信状態検出部、  １０７，２０７，３０７：選局制御部、  １０８，２０８：記憶部、  １０９：隣接地域記憶部、  １１０：系列記憶部、  １１１：一時記憶部、  ２１２：選局履歴記憶部。
【図１】
0005693186.tif 000002
【図２】
0005693186.tif 000003
【図３】
0005693186.tif 000004
【図４】
0005693186.tif 000005
【図５】
0005693186.tif 000006
【図６】
0005693186.tif 000007
【図７】
0005693186.tif 000008
【図８】
0005693186.tif 000009
【図９】
0005693186.tif 000010
【図１０】
0005693186.tif 000011
【図１１】
0005693186.tif 000012
【図１２】
0005693186.tif 000013
【図１３】
0005693186.tif 000014
【図１４】
0005693186.tif 000015
【図１５】
0005693186.tif 000016
【図１６】
0005693186.tif 000017
【図１７】
0005693186.tif 000018
【図１８】
0005693186.tif 000019
【図１９】
0005693186.tif 000020
【図２０】
0005693186.tif 000021